(57)【要約】【課題】  回路構成の煩雑化を防止しつつ、利便性を高める。【解決手段】  複数の無線通信システムに共通に対応して無線通信を行うことができるアンテナに接続するアンテナ側の信号導通路１１と、無線通信装置に設けられている複数の上記各無線通信用システム毎の信号処理回路３にそれぞれ接続される複数の信号処理回路側の信号導通路８（８Ａ〜８Ｄ）と、アンテナ側の信号導通路１１を複数の信号処理回路側の信号導通路８（８Ａ〜８Ｄ）のうちの一つに切り換え接続するスイッチ手段６とを備えた回路において、複数の信号処理回路側の信号導通路８（８Ａ〜８Ｄ）のうちの少なくとも一つの信号導通路に、互いに電磁結合する主線路と副線路を備えた方向性結合器１４の主線路を介設する。方向性結合器１４の副線路は、主線路から電磁結合により伝達された信号を他の信号処理回路側の信号導通路８に導くための信号導通路１５を接続する。【選択図】        図１
2007049625.tif 000002
【特許請求の範囲】
【請求項１】
複数の無線通信システムに共通に対応して無線通信を行うことができるアンテナの受信信号を、無線通信装置に設けられている複数の上記各無線通信用システム毎の信号処理回路のうちの前記受信信号に合った無線通信システム用の信号処理回路に導き、また、上記無線通信用システム用の信号処理回路から出力された送信用信号をアンテナに導く通信信号経路制御回路であって、
アンテナに接続されるアンテナ側の信号導通路と、
各無線通信システム用の信号処理回路にそれぞれ接続される複数の信号処理回路側の信号導通路と、
アンテナ側の信号導通路を複数の信号処理回路側の信号導通路のうちの何れか１つの信号導通路に切り換え接続させるためのスイッチ手段と、
を有しており、
前記複数の信号処理回路側の信号導通路のうちの少なくとも一つの信号導通路には、互いに電磁結合する主線路と副線路を備えた方向性結合器の主線路が介設され、
方向性結合器の副線路には、主線路から電磁結合により伝達された信号を他の信号処理回路側の信号導通路に導くための信号導通路が接続されており、
上記スイッチ手段によって、方向性結合器の主線路が介設されている信号処理回路側の信号導通路がアンテナ側の信号導通路に接続されているときには、その方向性結合器の主線路が介設されている信号処理回路側の信号導通路に信号が導通すると共に、その導通信号が方向性結合器の副線路を介して他の信号処理回路側の信号導通路にも供給されることを特徴とする通信信号経路制御回路。
【請求項２】
方向性結合器の副線路から他の信号処理回路側の信号導通路に信号を導く信号導通路には、信号の導通オン・オフを制御するスイッチ手段が設けられていることを特徴とする請求項１記載の通信信号経路制御回路。
【請求項３】
方向性結合器の主線路が設けられている信号処理回路側の信号導通路には、方向性結合器の主線路の介設位置よりもアンテナ側の導通路部分と、方向性結合器の主線路の介設位置よりも信号処理回路側の導通路部分との間を方向性結合器を迂回して電気的に接続する迂回導通路と、
方向性結合器の主線路が介設されている信号処理回路側の信号導通路に通電している信号を、方向性結合器の主線路を介して通電する経路と、迂回導通路に流れて方向性結合器の主線路を避けて通電する経路とのうちの何れか一方の経路に切り換えて導通させるための信号導通経路の切り換え手段と、
が設けられていることを特徴とする請求項１又は請求項２記載の通信信号経路制御回路。
【請求項４】
方向性結合器の主線路が介設される信号処理回路側の信号導通路には、互いに結合度が異なる複数の方向性結合器の主線路が直列的に介設され、上記全ての方向性結合器の副線路は、それぞれ、別々の信号導通路を介して上記方向性結合器の主線路が介設されている信号処理回路側の信号導通路とは異なる共通の信号処理回路側の信号導通路に接続されており、その共通の信号処理回路側の信号導通路と、前記各方向性結合器の副線路とをそれぞれ接続している各信号導通路には、それぞれ、信号の導通オン・オフを制御するスイッチ手段が設けられていることを特徴とする請求項１又は請求項２又は請求項３記載の通信信号経路制御回路。
【請求項５】
方向性結合器の副線路から他の信号処理回路側の信号導通路に信号を導く信号導通路には、信号の導通オン・オフを制御するスイッチ手段が設けられている構成を備え、そのスイッチ手段が設けられている信号導通路には、上記スイッチ手段が信号導通オフ状態であるときに、上記方向性結合器の主線路が介設されている信号処理回路側の信号導通路から上記方向性結合器を介してスイッチ手段側を見たときに電気的にオープン状態となるためのインピーダンス調整手段が設けられていることを特徴とする請求項２又は請求項３又は請求項４記載の通信信号経路制御回路。
【請求項６】
方向性結合器の主線路が介設される信号処理回路側の信号導通路は、無線通信相手と常時接続状態を維持する無線通信方式を採用している無線通信システムの信号処理回路に接続される信号処理回路側の信号導通路であることを特徴とする請求項１乃至請求項５の何れか一つに記載の通信信号経路制御回路。
【請求項７】
請求項１乃至請求項６の何れか１つに記載の通信信号経路制御回路が設けられていることを特徴とする無線通信装置。
【発明の詳細な説明】
【技術分野】
【０００１】
本発明は、携帯型電話機等の無線通信装置に設けられる通信信号経路制御回路およびそれを備えた無線通信装置に関するものである。
【背景技術】
【０００２】
図５には、無線通信装置の通信信号経路制御回路の一例が簡略的に表されている（例えば特許文献１参照）。この通信信号経路制御回路２０は、複数の無線通信システム（この例では、Ｗ−ＣＤＭＡ（Wideband−Code-Division-Multiple-Access）と、ＤＣＳ（Digital-Cellular-System）と、ＧＳＭ（Global-System-for-Mobile-Communication-System）という３つの無線通信システム）に対応することができる無線通信装置（例えば携帯型電話機）に設けられるものである。この通信信号経路制御回路２０は、上記全ての無線通信システムの通信信号を無線通信することができるアンテナ２１と、各無線通信システム毎にそれぞれ設けられる複数の信号処理回路２２（２２Ａ〜２２Ｃ）との間の信号導通経路上に介設される回路である。当該通信信号経路制御回路２０は、アンテナ２１で受信した信号を、当該受信信号に合った適切な無線通信システムの信号処理回路２２（２２Ａ，２２Ｂ，２２Ｃ）に供給したり、各無線通信システムの信号処理回路２２（２２Ａ，２２Ｂ，２２Ｃ）から出力された無線送信用の信号をアンテナ２１に供給するという通信信号の経路を制御する回路である。この例では、通信信号経路制御回路２０は、ハイパスフィルタ（ＨＰＦ）２５と、ローパスフィルタ（ＬＰＦ）２６と、スイッチ手段２７，２８と、共用器２９とを有して構成されている。
【０００３】
この通信信号経路制御回路２０の構成例では、ＨＰＦ２５とＬＰＦ２６の各信号導通路の一端側同士は共通にアンテナ２１に接続されている。ＨＰＦ２５の信号導通路の他端側は信号導通路３０Ａを介してスイッチ手段２７に接続され、ＬＰＦ２６の信号導通路の他端側は信号導通路３０Ｂを介してスイッチ手段２８に接続されている。ところで、Ｗ−ＣＤＭＡでは、無線通信装置のアンテナ２１で受信する受信信号の周波数帯は約2110ＭHz〜2170ＭHzであり、アンテナ２１から外部に向けて送信する送信用信号の周波数帯は約1920ＭHz〜1980ＭHzである。また、ＤＣＳでは、無線通信装置のアンテナ２１で受信する受信信号の周波数帯は約1805ＭHz〜1880ＭHzであり、アンテナ２１から外部に向けて送信する送信用信号の周波数帯は約1710ＭHz〜1785ＭHzである。さらに、ＧＳＭでは、無線通信装置のアンテナ２１で受信する受信信号の周波数帯は約925ＭHz〜960ＭHzであり、アンテナ２１から外部に向けて送信する送信用信号の周波数帯は約880ＭHz〜915ＭHzである。
【０００４】
この通信信号経路制御回路２０の構成例では、ＨＰＦ２５は、例えば、アンテナ２１で受信した信号のうち、Ｗ−ＣＤＭＡおよびＤＣＳの受信信号は透過させてスイッチ手段２７に供給するが、ＧＳＭの受信信号は減衰させる特性を持つものである。また、ＬＰＦ２６は、例えば、アンテナ２１で受信した信号のうち、ＧＳＭの受信信号は透過させてスイッチ手段２８に供給するが、Ｗ−ＣＤＭＡおよびＤＣＳの受信信号は減衰させる特性を持つものである。
【０００５】
スイッチ手段２７は、非選択側の端子２７Ｍを複数の選択側の端子２７Ｎ1〜２７Ｎ3のうちの何れか一つに切り換え接続させる構成を有するものである。その非選択側の端子２７Ｍはアンテナ側の信号導通路３０Ａに接続され、選択側の端子２７Ｎ1は信号処理回路側の信号導通路３０ｃの一端側に接続され、選択側の端子２７Ｎ2は信号処理回路側の信号導通路３０ｄの一端側に接続され、選択側の端子２７Ｎ3は信号処理回路側の信号導通路３０ｅの一端側に接続されている。つまり、スイッチ手段２７は、アンテナ側の信号導通路３０Ａを、信号処理回路側の信号導通路３０ｃ，３０ｄ，３０ｅのうちの何れか一つに電気的に切り換え接続させる構成と成している。
【０００６】
信号導通路３０ｃの他端側は共用器２９と信号導通路３０ａを介してＷ−ＣＤＭＡ用の信号処理回路２２Ａの受信信号入力部に接続されると共に、共用器２９と信号導通路３０ｂを介してＷ−ＣＤＭＡ用の信号処理回路２２Ａの送信用信号出力部に接続される。共用器２９は、Ｗ−ＣＤＭＡの受信信号と、ＤＣＳの受信信号との周波数の違いを利用して、スイッチ手段２７側から供給された受信信号の中からＷ−ＣＤＭＡの受信信号を取り出して当該受信信号を信号導通路３０ａを介してＷ−ＣＤＭＡ用の信号処理回路２２Ａの受信信号入力部に加える。また、共用器２９は、Ｗ−ＣＤＭＡ用の信号処理回路２２Ａの送信用信号出力部から出力され信号導通路３０ｂを介して加えられた送信用信号をスイッチ手段２７側の信号導通路３０ｃに導く回路構成を備えている。
【０００７】
信号導通路３０ｄの他端側はＤＣＳ用の信号処理回路２２Ｂの送信用信号出力部に接続され、信号導通路３０ｅの他端側はＤＣＳ用の信号処理回路２２Ｂの受信信号入力部に接続される。なお、スイッチ手段２７から信号導通路３０ｅを介してＤＣＳ用の信号処理回路２２Ｂに至るまでの信号経路上には、Ｗ−ＣＤＭＡの受信信号と、ＤＣＳの受信信号との周波数の違いを利用して、スイッチ手段２７側から供給された受信信号の中からＤＣＳの受信信号を取り出すための例えばバンドパスフィルタ（ＢＰＦ）等のフィルタ手段（図示せず）が介設されて、ＤＣＳの受信信号のみがＤＣＳ用の信号処理回路２２Ｂに供給される。
【０００８】
スイッチ手段２８は、非選択側の端子２８Ｍを２つの選択側の端子２８Ｎ1，２８Ｎ2の何れか一方に切り換え接続させる構成を有するものである。その非選択側の端子２８Ｍはアンテナ側の信号導通路３０Ｂに接続され、選択側の端子２８Ｎ1は信号処理回路側の信号導通路３０ｆの一端側に接続され、選択側の端子２８Ｎ2は信号処理回路側の信号導通路３０ｇの一端側に接続されている。つまり、スイッチ手段２８は、アンテナ側の信号導通路３０Ｂを信号処理回路側の信号導通路３０ｆ，３０ｇのうちの何れか一方に電気的に切り換え接続させる構成と成している。信号導通路３０ｆの他端側は、ＧＳＭ用の信号処理回路２２Ｃの送信用信号出力部に接続され、信号導通路３０ｇの他端側は、ＧＳＭ用の信号処理回路２２Ｃの受信信号入力部に接続される。
【０００９】
スイッチ手段２７，２８は、無線通信装置の装置動作を制御する制御装置（図示せず）によってスイッチング動作が制御されるものである。例えば、Ｗ−ＣＤＭＡの無線通信システムで無線通信装置が無線通信を行う場合には、無線通信装置の制御装置は、アンテナ側の信号導通路３０ＡがＷ−ＣＤＭＡ用の信号導通路３０ｃに切り換え接続するように、スイッチ手段２７のスイッチング動作を制御る。これにより、アンテナ２１で受信したＷ−ＣＤＭＡの受信信号はＨＰＦ２５を透過し、信号導通路３０Ａとスイッチ手段２７と信号導通路３０ｃと共用器２９と信号導通路３０ａを順に通してＷ−ＣＤＭＡ用の信号処理回路２２Ａに供給される。また、Ｗ−ＣＤＭＡ用の信号処理回路２２Ａから出力された送信用信号は、信号導通路３０ｂと共用器２９と信号導通路３０ｃとスイッチ手段２７と信号導通路３０ＡとＨＰＦ２５を順に通ってアンテナ２１に供給され、アンテナ２１から外部に無線送信される。
【００１０】
ＤＣＳの無線通信システムで無線通信装置が受信動作を行う場合には、無線通信装置の制御装置は、アンテナ側の信号導通路３０Ａが信号処理回路側の信号導通路３０ｅに切り換え接続するようにスイッチ手段２７のスイッチング動作を制御する。これにより、アンテナ２１で受信されたＤＣＳの受信信号は、ＨＰＦ２５と信号導通路３０Ａとスイッチ手段２７と信号導通路３０ｅを順に通ってＤＣＳ用の信号処理回路２２Ｂに供給される。また、ＤＣＳの無線通信システムで無線通信装置が送信動作を行う場合には、無線通信装置の制御装置は、アンテナ側の信号導通路３０Ａが信号処理回路側の信号導通路３０ｄに切り換え接続するようにスイッチ手段２７のスイッチング動作を制御する。これにより、ＤＣＳ用の信号処理回路２２Ｂから出力された送信用信号は、信号導通路３０ｄとスイッチ手段２７と信号導通路３０ＡとＨＰＦ２５を順に通ってアンテナ２１に導かれてアンテナ２１から外部に無線送信される。
【００１１】
さらに、ＧＳＭの無線通信システムで無線通信装置が送信動作を行う場合には、無線通信装置の制御装置は、アンテナ側の信号導通路３０Ｂが信号処理回路側の信号導通路３０ｆに切り換え接続するようにスイッチ手段２８のスイッチング動作を制御する。これにより、ＧＳＭ用の信号処理回路２２Ｃから出力された送信用信号は、信号導通路３０ｆとスイッチ手段２８と信号導通路３０ＢとＬＰＦ２６を順に通ってアンテナ２１に導かれてアンテナ２１から外部に無線送信される。さらにまた、ＧＳＭの無線通信システムで無線通信装置が受信動作を行う場合には、無線通信装置の制御装置は、アンテナ側の信号導通路３０Ｂが信号処理回路側の信号導通路３０ｇに切り換え接続するようにスイッチ手段２８のスイッチング動作を制御する。これにより、アンテナ２１で受信されたＧＳＭの受信信号は、ＬＰＦ２６と信号導通路３０Ｂとスイッチ手段２８と信号導通路３０ｇを順に通ってＧＳＭ用の信号処理回路２２Ｃに供給される。
【００１２】
図５に示される通信信号経路制御回路２０は、上記のように、アンテナ２１の受信信号を、当該受信信号に適した信号処理回路２２に供給し、また、信号処理回路２２から出力された送信用信号をアンテナ２１に導く構成を備えている。
【００１３】
【特許文献１】国際公開第０２／０１７４１号パンフレット
【発明の開示】
【発明が解決しようとする課題】
【００１４】
ところで、Ｗ−ＣＤＭＡの無線通信システムでは、無線通信相手と常時接続している状態で無線通信を行うことが要求される。また、Ｗ−ＣＤＭＡの無線通信システムの無線通信を行いながら、例えばＤＣＳの無線通信システムの無線通信を行う必要が生じることがある。
【００１５】
しかしながら、図５に示される構成では、スイッチ手段２７によって、Ｗ−ＣＤＭＡの無線通信システム用の信号処理回路２２Ａと、ＤＣＳの無線通信システム用の信号処理回路２２Ｂとのうちの何れか一方のみがアンテナ２１に電気的に切り換え接続される構成となっている。このため、Ｗ−ＣＤＭＡの無線通信システムの無線通信を行うと同時にＤＣＳの無線通信システムの無線通信を行うことができない。
【００１６】
本発明は上記課題を解決するために成されたものであり、その目的は、例えば、無線通信相手と常時接続状態で無線通信を行う必要がある無線通信システムの無線通信を行いながら、他の無線通信システムの無線通信を同時に行うことができるという如く、利便性を高めることができる通信信号経路制御回路およびそれを備えた無線通信装置を提供することにある。
【課題を解決するための手段】
【００１７】
上記目的を達成するために、この発明は次に示す構成をもって前記課題を解決するための手段としている。すなわち、この発明の通信信号経路制御回路は、
複数の無線通信システムに共通に対応して無線通信を行うことができるアンテナの受信信号を、無線通信装置に設けられている複数の上記各無線通信用システム毎の信号処理回路のうちの前記受信信号に合った無線通信システム用の信号処理回路に導き、また、上記無線通信用システム用の信号処理回路から出力された送信用信号をアンテナに導く通信信号経路制御回路であって、
アンテナに接続されるアンテナ側の信号導通路と、
各無線通信システム用の信号処理回路にそれぞれ接続される複数の信号処理回路側の信号導通路と、
アンテナ側の信号導通路を複数の信号処理回路側の信号導通路のうちの何れか１つの信号導通路に切り換え接続させるためのスイッチ手段と、
を有しており、
前記複数の信号処理回路側の信号導通路のうちの少なくとも一つの信号導通路には、互いに電磁結合する主線路と副線路を備えた方向性結合器の主線路が介設され、
方向性結合器の副線路には、主線路から電磁結合により伝達された信号を他の信号処理回路側の信号導通路に導くための信号導通路が接続されており、
上記スイッチ手段によって、方向性結合器の主線路が介設されている信号処理回路側の信号導通路がアンテナ側の信号導通路に接続されているときには、その方向性結合器の主線路が介設されている信号処理回路側の信号導通路に信号が導通すると共に、その導通信号が方向性結合器の副線路を介して他の信号処理回路側の信号導通路にも供給されることを特徴としている。また、この発明の無線通信装置は、この発明における特有な構成を持つ通信信号経路制御回路が設けられていることを特徴としている。
【発明の効果】
【００１８】
この発明によれば、スイッチ手段に接続されている複数の信号処理回路側の信号導通路のうちの少なくとも一つの信号処理回路側の信号導通路には、方向性結合器の主線路が介設され、その方向性結合器の副線路は、主線路が介設されている信号導通路とは異なる別の信号処理回路側の信号導通路に接続されている構成を設けた。この発明では、スイッチ手段に接続されている複数の信号処理回路側の信号導通路の何れか一つの信号導通路のみしかスイッチ手段によってアンテナ側の信号導通路に接続できない構成を備えているが、そのスイッチ手段によって、方向性結合器の主線路が介設されている信号処理回路側の信号導通路が、アンテナ側の信号導通路に接続されている状態では、その方向性結合器の主線路が介設されている信号処理回路側の信号導通路に信号が導通すると共に、その信号は方向性結合器の副線路を介して他の信号処理回路側の信号導通路にも供給できる。
【００１９】
例えば、無線通信相手との常時接続状態を維持する必要がある無線通信方式を採用している無線通信システム用の信号処理回路に接続されている信号処理回路側の信号導通路には、方向性結合器の主線路を介設し、その方向性結合器の副線路を、他の無線通信システム用の信号処理回路に接続している信号処理回路側の信号導通路に電気的に接続される構成とする。このような構成とすることによって、常時接続状態を維持する必要がある無線通信システム用の信号処理回路をスイッチ手段によってアンテナに電気的に接続させた状態のまま、他の無線通信システム用の信号処理回路も、上記常時接続状態を維持する必要がある無線通信システム用の信号処理回路に接続されている信号処理回路側の信号導通路を介してアンテナに接続させることができる。つまり、スイッチ手段に接続されている複数の無線通信システム用の信号処理回路のうちの一つのみがスイッチ手段によってアンテナに切り換え接続される構成を備えていながら、上記常時接続状態を維持する必要がある無線通信システム用の信号処理回路だけでなく、それ以外の無線通信システム用の信号処理回路をもアンテナに接続されて無線通信が可能な状態とすることができる。これにより、この発明の通信信号経路制御回路を備えた無線通信装置は、回路構成の煩雑化を抑制しながら、常時接続状態を維持する必要がある無線通信システムの無線通信を行うと同時に、他の無線通信システムの無線通信を行うことができることとなる。
【００２０】
また、方向性結合器の副線路から他の信号処理回路側の信号導通路に信号を導く信号導通路には、信号の導通オン・オフを制御するスイッチ手段が設けられている構成を備えることによって、次に示すような効果を得ることができる。つまり、この発明では、方向性結合器の主線路が介設されている信号処理回路側の信号導通路を導通している信号のパワーの一部が方向性結合器の副線路を介して他の信号処理回路側の信号導通路に供給される構成である。このため、方向性結合器の主線路が介設されている信号処理回路側の信号導通路の導通信号は、方向性結合器の主線路が介設されていない場合に比べて、信号レベルが低くなる。これに対して、方向性結合器の副線路から他の信号処理回路側の信号導通路に信号を導く信号導通路にスイッチ手段を設け、方向性結合器の主線路が介設されている信号処理回路側の信号導通路から方向性結合器を介して他の信号処理回路側の信号導通路に信号を伝達する必要があるときだけ、上記スイッチ手段を導通オン状態に制御し、それ以外のときにはスイッチ手段を導通オフ状態に制御する構成とする。この構成によって、方向性結合器の主線路が介設されている信号処理回路側の信号導通路に通電している信号は、上記スイッチ手段が導通オン状態であるときのみ、その信号のパワーの一部が、方向性結合器を介して他の信号処理回路側の信号導通路に流れることとなるので、方向性結合器の主線路が介設されている信号処理回路側の信号導通路の導通信号のレベルが低い状態を短い時間に抑えることが可能である。
【００２１】
方向性結合器を迂回して信号を導通させるための迂回導通路が設けられ、また、方向性結合器の主線路が介設されている信号処理回路側の信号導通路に通電している信号を、方向性結合器の主線路を介して通電する経路と、迂回導通路に流れて方向性結合器の主線路を避けて通電する経路とのうちの何れか一方の経路に切り換えて導通させるための切り換え手段が設けられている構成とすることによって、次に示すような効果を得ることができる。つまり、方向性結合器の主線路が介設されている信号処理回路側の信号導通路から方向性結合器を介して他の信号処理回路側の信号導通路に信号を伝達する必要があるときだけ、上記切り換え手段によって、方向性結合器の主線路を介して信号を導通させ、それ以外のときには迂回導通路に信号を導通させる構成とする。この構成によって、方向性結合器の主線路が介設されている信号処理回路側の信号導通路に通電している信号は、必要なときのみ、その信号のパワーの一部が、方向性結合器を介して他の信号処理回路側の信号導通路に流れることとなるので、方向性結合器の主線路が介設されている信号処理回路側の信号導通路の導通信号のレベルが低い状態を短い時間に抑えることが可能である。
【００２２】
また、前述したような方向性結合器の副線路から他の信号処理回路側の信号導通路に至る信号導通路にスイッチ手段を設けて上記同様の効果を得ることができる構成とする場合には、スイッチ手段が導通オフ状態であっても、通電信号が高周波信号である場合には、僅かではあるが、信号のパワーの一部が方向性結合器の主線路側から副線路とスイッチ手段を介して他の信号処理回路側の信号導通路に流れてしまう。これに対して、方向性結合器の主線路が介設されている信号処理回路側の信号導通路から方向性結合器を介して他の信号処理回路側の信号導通路に信号を伝達する必要がないときには、信号は迂回導通路に通電させて方向性結合の主線路に信号を導通させない構成とする。この構成とすることによって、他の信号処理回路側の信号導通路への信号伝達が必要でないのにも拘わらず方向性結合器から他の信号処理回路側の信号導通路に信号のパワーの一部が導通オフ状態のスイッチ手段を介して流れ出るという事態を無くすことができる。これにより、より確実に、方向性結合器の主線路が介設されている信号処理回路側の信号導通路の導通信号のレベル低下を抑制することができる。
【００２３】
方向性結合器の主線路が介設されている信号処理回路側の信号導通路には、互いに結合度が異なる複数の方向性結合器の主線路が直列的に介設され、それら全ての方向性結合器の副線路は、それぞれ、別々の信号導通路を介して、上記方向性結合器の主線路が接続されている信号処理回路側の信号導通路とは異なる共通の信号処理回路側の信号導通路に接続されており、その共通の信号処理回路側の信号導通路と、上記各方向性結合器の副線路とをそれぞれ接続している各信号導通路には、それぞれ、スイッチ手段が設けられている構成を備えることによって、次に示すような効果を得ることができる。つまり、方向性結合器の主線路が介設されている信号処理回路側の信号導通路と、上記他の信号処理回路側の信号導通路とを接続する方向性結合器の結合度を選択できる構成であることから、アンテナで受信した信号のパワーの大きさに応じて、方向性結合器の結合度を選択することができる。これにより、例えば、アンテナの受信信号のレベルが変動しても、方向性結合器の主線路が介設されている信号処理回路側の信号導通路に接続されている無線通信システム用の信号処理回路に、又は、上記他の信号処理回路側の信号導通路に接続されている無線通信システム用の信号処理回路に、ほぼ一定レベルの受信信号を供給することが可能となる。
【００２４】
方向性結合器の副線路から他の信号処理回路側の信号導通路に至る信号導通路にスイッチ手段が設けられている場合に、その信号導通路にインピーダンス調整手段を設けて、スイッチ手段が導通オフ状態であるときには、方向性結合器の主線路側から副線路を介して上記スイッチ手段側を見たときにスイッチ手段側がオープン状態となるような構成を備えることによって、次に示すような効果を得ることができる。つまり、信号処理回路側の信号導通路を通電している信号が高周波信号である場合には、スイッチ手段が導通オフ状態であっても高周波信号のパワーの一部がスイッチ手段を通電して損失が発生する。このため、スイッチ手段を設け当該スイッチ手段を導通オフ状態に制御したのにも拘わらず、方向性結合器の主線路が介設されている信号処理回路側の信号導通路から方向性結合器の副線路と上記スイッチ手段を介して他の信号処理回路側の信号導通路に信号のパワーの一部が流れて信号の損失が発生してしまうという問題が発生する虞がある。
【００２５】
これに対して、上記のように、方向性結合器の副線路から他の信号処理回路側の信号導通路に至る信号導通路に上記のようなインピーダンス調整手段（例えば、方向性結合器の主線路側から副線路を介してスイッチ手段側を見たときにスイッチ手段側がオープンとなるためのインピーダンスを持つ線路（ライン））を設けることによって、スイッチ手段が導通オフ状態であるときに、スイッチ手段側はオープンであることから、方向性結合器の主線路側から副線路を介してスイッチ手段側に信号のパワーの一部が流れ込むことを防止できる。これにより、上記スイッチ手段が導通オフ状態であるときに、方向性結合器の主線路が介設されている信号処理回路側の信号導通路における方向性結合器の配設に起因した信号損失をより確実に低減することができる。
【発明を実施するための最良の形態】
【００２６】
以下に、この発明に係る実施形態例を図面に基づいて説明する。
【００２７】
図１には第１実施形態例の通信信号経路制御回路が簡略的に表されている。この通信信号経路制御回路１は、複数の無線通信システム（この第１実施形態例では、ＰＣＳ（Personal-Communication-Service）と、Ｗ−ＣＤＭＡと、ＤＣＳと、ＥＧＳＭ（Extended-Global-System-for-Mobile-Communication-System）との４つの無線通信システム）に対応することができる無線通信装置に設けられる回路である。当該通信信号経路制御回路１が組み込まれる無線通信装置には、上記４つの無線通信システムに共通のアンテナ２と、各無線通信システム毎の信号処理回路３（３Ａ〜３Ｄ）とが設けられている。この第１実施形態例の通信信号経路制御回路１は、アンテナ２の受信信号を、各無線通信システム毎の信号処理回路３（３Ａ〜３Ｄ）のうちの上記受信信号に合った無線通信システム用の信号処理回路３に導き、また、無線通信システム用の信号処理回路３から出力された送信用信号をアンテナ２に導く回路である。
【００２８】
この第１実施形態例では、通信信号経路制御回路１は、ハイパスフィルタ（ＨＰＦ）４と、ローパスフィルタ（ＬＰＦ）５と、周波数高側のスイッチ手段６と、周波数低側のスイッチ手段７と、周波数高側のスイッチ手段６に接続される信号処理回路側の信号導通路８（８Ａ〜８Ｄ）と、周波数低側のスイッチ手段７に接続される信号処理回路側の信号導通路９（９Ａ，９Ｂ）と、共用器１０とを有して構成されている。
【００２９】
この第１実施形態例の通信信号経路制御回路１では、ＨＰＦ４とＬＰＦ５の各信号導通路の一端側同士は、共通のアンテナ側の信号導通路１１を介してアンテナ２に電気的に接続されている。また、ＨＰＦ４の信号導通路の他端側は、周波数高側のスイッチ手段６を介して信号処理回路側の信号導通路８（８Ａ〜８Ｄ）に接続されている。また、ＬＰＦ５の信号導通路の他端側は、周波数低側のスイッチ手段７を介して信号処理回路側の信号導通路９（９Ａ，９Ｂ）に接続されている。
【００３０】
信号処理回路側の信号導通路８Ａは、スイッチ手段６側から信号処理回路３側に向かう途中の部位で２つの信号導通路１２ａ，１２ｂに分岐されており、信号導通路１２ａは、ＰＣＳ用の信号処理回路３Ａの送信用信号出力部に接続され、信号導通路１２ｂは、ＤＣＳ用の信号処理回路３Ｃの送信用信号出力部に接続されている。信号処理回路側の信号導通路８Ｂは、ＰＣＳ用の信号処理回路３Ａの受信信号入力部に接続されている。信号処理回路側の信号導通路８Ｃは、共用器１０に接続され、この共用器１０は、信号導通路１３ａを介してＷ−ＣＤＭＡ用の信号処理回路３Ｂの受信信号入力部に接続されると共に、信号導通路１３ｂを介してＷ−ＣＤＭＡ用の信号処理回路３Ｂの送信用信号出力部に接続されている。信号処理回路側の信号導通路８Ｄは、ＤＣＳ用の信号処理回路３Ｃの受信信号入力部に接続されている。
【００３１】
Ｗ−ＣＤＭＡは無線通信相手と常時接続状態で無線通信を行う通信方式のものであり、この第１実施形態例では、Ｗ−ＣＤＭＡ用の信号処理回路３Ｂに接続される信号処理回路側の信号導通路８Ｃには、方向性結合器１４を構成する主線路（図示せず）が介設され、方向性結合器１４を構成する副線路（図示せず）は、信号導通路１５を介して信号処理回路側の信号導通路８Ｄに接続されている。
【００３２】
周波数低側のスイッチ手段７に接続されている信号処理回路側の信号導通路９Ａは、ＥＧＳＭ用の信号処理回路３Ｄの受信信号入力部に接続され、信号処理回路側の信号導通路９Ｂは、ＥＧＳＭ用の信号処理回路３Ｄの送信用信号出力部に接続されている。
【００３３】
この第１実施形態例では、ＨＰＦ４は、ＰＣＳの通信信号と、Ｗ−ＣＤＭＡの通信信号と、ＤＣＳの通信信号とを通過させ、また、ＥＧＳＭの通信信号を減衰させる特性を持つものである。ＬＰＦ５は、ＥＧＳＭの通信信号を通過させ、また、ＰＣＳの通信信号と、Ｗ−ＣＤＭＡの通信信号と、ＤＣＳの通信信号とを減衰させる特性を持つものである。つまり、Ｗ−ＣＤＭＡの受信信号の周波数帯は約2110ＭHz〜2170ＭHzであり、Ｗ−ＣＤＭＡの送信用信号の周波数帯は約1920ＭHz〜1980ＭHzである。ＤＣＳの受信信号の周波数帯は約1805ＭHz〜1880ＭHzであり、ＤＣＳの送信用信号の周波数帯は約1710ＭHz〜1785ＭHzである。ＰＣＳの受信信号の周波数帯は約1900ＭHzであり、ＰＣＳの送信用信号の周波数帯は約1800ＭHzである。ＥＧＳＭの受信信号の周波数帯は約925ＭHz〜960ＭHzであり、ＥＧＳＭの送信用信号の周波数帯は約880ＭHz〜915ＭHzである。ＨＰＦ４は、ＰＣＳとＷ−ＣＤＭＡとＤＣＳの通信信号の周波数の中で最も低い周波数（約1700ＭHz）よりも低く、かつ、ＥＧＳＭの通信信号の周波数の中で最も高い周波数（約960ＭHz）よりも高い周波数範囲内の周波数をしきい値として持ち、そのしきい値の周波数以上の高い周波数の信号は透過し、しきい値の周波数よりも低い周波数の信号は減衰させる特性を有する。また、ＬＰＦ５は、ＰＣＳとＷ−ＣＤＭＡとＤＣＳの通信信号の周波数の中で最も低い周波数（約1700ＭHz）よりも低く、かつ、ＥＧＳＭの通信信号の周波数の中で最も高い周波数（約960ＭHz）よりも高い周波数範囲内の周波数をしきい値として持ち、そのしきい値の周波数よりも低い周波数の信号は透過し、しきい値の周波数以上の高い周波数の信号は減衰させる特性を有するものである。
【００３４】
周波数高側のスイッチ手段６は、アンテナ側の信号導通路１１を、４つの信号処理回路側の信号導通路８Ａ〜８Ｄのうちの何れか一つに切り換え接続させる構成を備えている。このスイッチ手段６のスイッチング制御は、無線通信装置に設けられている制御装置（図示せず）によって行われる。例えば、無線通信装置がＰＣＳ又はＤＣＳの無線通信システムの送信動作を行うときには、制御装置は、アンテナ側の信号導通路１１が信号処理回路側の信号導通路８Ａに切り換え接続されるようにスイッチ手段６のスイッチング動作を制御する。また、無線通信装置がＰＣＳの無線通信システムの受信動作を行うときには、制御装置は、アンテナ側の信号導通路１１が信号処理回路側の信号導通路８Ｂに切り換え接続されるようにスイッチ手段６のスイッチング動作を制御する。さらに、無線通信装置がＷ−ＣＤＭＡの無線通信システムの送受信動作を行うときには、制御装置は、アンテナ側の信号導通路１１が信号処理回路側の信号導通路８Ｃに切り換え接続されるようにスイッチ手段６のスイッチング動作を制御する。さらにまた、無線通信装置がＤＣＳの無線通信システムの受信動作を行うときには、制御装置は、アンテナ側の信号導通路１１が信号処理回路側の信号導通路８Ｄに切り換え接続されるようにスイッチ手段６のスイッチング動作を制御する。
【００３５】
周波数低側のスイッチ手段７は、アンテナ側の信号導通路１１を、２つの信号処理回路側の信号導通路９Ａ，９Ｂの何れか一方側に切り換え接続させる構成を備えている。このスイッチ手段７のスイッチング制御も、スイッチ手段６と同様に、無線通信装置に設けられている制御装置（図示せず）によって行われる。例えば、無線通信装置がＥＧＳＭの無線通信システムの受信動作を行うときには、制御装置は、アンテナ側の信号導通路１１が信号処理回路側の信号導通路９Ａに切り換え接続されるようにスイッチ手段７のスイッチング動作を制御する。また、無線通信装置がＥＧＳＭの無線通信システムの送信動作を行うときには、制御装置は、アンテナ側の信号導通路１１が信号処理回路側の信号導通路９Ｂに切り換え接続されるようにスイッチ手段７のスイッチング動作を制御する。
【００３６】
方向性結合器１４は、電磁結合している主線路と副線路を有し、主線路を流れる信号が電磁結合によって副線路に伝達される構成を備えている。このため、この第１実施形態例では、信号処理回路側の信号導通路８Ｃを導通している信号が方向性結合器１４の主線路から電磁結合によって副線路に伝達され、当該信号は副線路から信号導通路１５を介して信号処理回路側の信号導通路８Ｄに供給される。なお、主線路から副線路に伝達される信号のパワーは、方向性結合器１４の結合度に応じたものとなる。
【００３７】
この第１実施形態例では、Ｗ−ＣＤＭＡの受信信号の周波数帯が約2110ＭHz〜2170ＭHzであり、Ｗ−ＣＤＭＡの送信用信号の周波数帯は約1920ＭHz〜1980ＭHzであるというように、Ｗ−ＣＤＭＡでは受信信号と送信用信号の周波数帯が異なる。この周波数の違いを利用して、共用器１０は、Ｗ−ＣＤＭＡの受信信号はＷ−ＣＤＭＡ用の信号処理回路３Ｂに供給し、Ｗ−ＣＤＭＡ用の信号処理回路３Ｂから出力された送信用信号はアンテナ側に導く構成を備えている。
【００３８】
この第１実施形態例の通信信号経路制御回路１は上記のように構成されている。この通信信号経路制御回路１の回路動作の一例を以下に述べる。例えば、この第１実施形態例では、アンテナ２は、ＰＣＳとＷ−ＣＤＭＡとＤＣＳとＥＧＳＭの４つの無線通信システムの信号を受信することができるものである。アンテナ２で受信された信号の中にＥＧＳＭの受信信号が含まれている場合には、ＥＧＳＭの受信信号のみがＬＰＦ５を透過する（換言すれば、ＬＰＦ５によってＥＧＳＭの受信信号のみが取り出される）。また、ＥＧＳＭ用の信号処理回路３Ｄが受信動作を行うときには、無線通信装置の制御装置のスイッチング制御によるスイッチ手段７のスイッチング動作によって信号処理回路側の信号導通路９Ａがアンテナ側の信号導通路１１に切り換え接続される。これにより、ＬＰＦ５により取り出されたＥＧＳＭの受信信号は信号処理回路側の信号導通路９Ａを通ってＥＧＳＭ用の信号処理回路３Ｄに導かれる。
【００３９】
また、ＰＣＳ用の信号処理回路３Ａが受信動作を行うときには、無線通信装置の制御装置のスイッチング制御によるスイッチ手段６のスイッチング動作によってアンテナ側の信号導通路１１が信号処理回路側の信号処理回路８Ｂに切り換え接続される。アンテナ２の受信信号の中に、ＰＣＳとＷ−ＣＤＭＡとＤＣＳの何れかの受信信号が含まれている場合には、ＰＣＳとＷ−ＣＤＭＡとＤＣＳの少なくとも一つの無線通信システムの受信信号を含む周波数高側の受信信号はＨＰＦ４を透過する。そして、そのＨＰＦ４を透過した周波数高側の受信信号はスイッチ手段６を介して信号処理回路側の信号導通路８Ｂに導かれる。信号処理回路側の信号導通路８ＢからＰＣＳ用の信号処理回路３Ｂに至るまでの信号導通路には、周波数高側の受信信号の中からＰＣＳ用の受信信号のみを取り出す例えばバンドパスフィルタ（ＢＰＦ）等のフィルタ手段（図示せず）が介設されている。このフィルタ手段によって取り出されたＰＣＳ用の受信信号がＰＣＳ用の信号処理回路３Ｂに加えられる。
【００４０】
さらに、ＤＣＳ用の信号処理回路３Ｃが受信動作を行うときには、無線通信装置の制御装置のスイッチング制御によるスイッチ手段６のスイッチング動作によってアンテナ側の信号導通路１１が信号処理回路側の信号処理回路８Ｄに切り換え接続される。これにより、アンテナ２で受信されＨＰＦ４を通過した周波数高側の受信信号はスイッチ手段６を介して信号処理回路側の信号導通路８Ｄに導かれる。信号処理回路側の信号導通路８ＤからＤＣＳ用の信号処理回路３Ｃに至るまでの信号導通路には、周波数高側の受信信号の中からＤＣＳ用の受信信号のみを取り出す例えばバンドパスフィルタ（ＢＰＦ）等のフィルタ手段（図示せず）が介設されている。このフィルタ手段によって取り出されたＤＣＳ用の受信信号がＤＣＳ用の信号処理回路３Ｃに加えられる。
【００４１】
さらに、Ｗ−ＣＤＭＡ用の信号処理回路３Ｂが送受信動作を行うときには、無線通信装置の制御装置のスイッチング制御によるスイッチ手段６のスイッチング動作によってアンテナ側の信号導通路１１が信号処理回路側の信号処理回路８Ｃに切り換え接続される。これにより、アンテナ２で受信されＨＰＦ４を通過した周波数高側の受信信号はスイッチ手段６を介して信号処理回路側の信号導通路８Ｃに導かれる。そして、共用器１０により、高周波高側の受信信号の中からＷ−ＣＤＭＡの受信信号のみが取り出され、信号導通路１３ａを介してＷ−ＣＤＭＡ用の信号処理回路３Ｂに供給される。また、Ｗ−ＣＤＭＡ用の信号処理回路３Ｂから送信用信号が出力されたときには、その送信用信号は信号導通路１３ｂと共用器１０と信号導通路８Ｃとスイッチ手段６とＨＰＦ４とアンテナ側の信号導通路１１を順に通ってアンテナ２に導かれ、送信用信号はアンテナ２から外部に無線送信される。
【００４２】
ところで、この第１実施形態例では、信号処理回路側の信号導通路８Ｃには方向性結合器１４の主線路が介設されている。このため、信号処理回路側の信号導通路８Ｃの導通信号が方向性結合器１４の主線路から電磁結合によって副線路に伝達され信号導通路１５を通って信号処理回路側の信号導通路８Ｄにも供給される。この信号処理回路側の信号導通路８Ｃから信号導通路８Ｄに伝達された周波数高側の受信信号の中にＤＣＳの受信信号が含まれている場合には、周波数高側の受信信号の中からＤＣＳの受信信号のみを透過するフィルタ手段によって、ＤＣＳの受信信号のみが取り出され、当該ＤＣＳの受信信号がＤＣＳ用の信号処理回路３Ｃに供給される。これにより、この第１実施形態例では、常時接続状態を維持する必要があるＷ−ＣＤＭＡの無線通信を行いながら同時に、ＤＣＳの信号の受信をも行うことが可能である。
【００４３】
ＰＣＳ用の信号処理回路３Ａが送信動作を行っているときには、無線通信装置の制御装置のスイッチング制御によるスイッチ手段６のスイッチング動作によって信号処理回路側の信号処理回路８Ａがアンテナ側の信号導通路１１に切り換え接続される。これにより、ＰＣＳ用の信号処理回路３Ａから出力された送信用信号は信号導通路１２ａと信号処理回路側の信号導通路８Ａとスイッチ手段６とＨＰＦ４とアンテナ側の信号導通路１１を順に通ってアンテナ２に供給され当該アンテナ２から外部に無線送信される。
【００４４】
また、ＤＣＳ用の信号処理回路３Ｃが送信動作を行っているときには、無線通信装置の制御装置のスイッチング制御によるスイッチ手段６のスイッチング動作によって信号処理回路側の信号処理回路８Ａがアンテナ側の信号導通路１１に切り換え接続される。これにより、ＤＣＳ用の信号処理回路３Ｃから出力された送信用信号は信号導通路１２ｂと信号処理回路側の信号導通路８Ａとスイッチ手段６とＨＰＦ４とアンテナ側の信号導通路１１を順に通ってアンテナ２に供給され当該アンテナ２から外部に無線送信される。
【００４５】
さらに、ＥＧＳＭ用の信号処理回路３Ｄが送信動作を行っているときには、無線通信装置の制御装置のスイッチング制御によるスイッチ手段７のスイッチング動作によって信号処理回路側の信号処理回路９Ｂがアンテナ側の信号導通路１１に切り換え接続される。これにより、ＥＧＳＭ用の信号処理回路３Ｄから出力された送信用信号は信号処理回路側の信号導通路９Ｂとスイッチ手段７とＬＰＦ５とアンテナ側の信号導通路１１を順に通ってアンテナ２に供給され当該アンテナ２から外部に無線送信される。
【００４６】
以下に、第２実施形態例を説明する。なお、この第２実施形態例の説明において、第１実施形態例と同一構成部分には同一符号を付し、その共通部分の重複説明は省略する。
【００４７】
この第２実施形態例では、図２に示されるように、方向性結合器１４の副線路に接続されている信号導通路１５に、当該信号導通路１５の信号の導通オン・オフを制御するスイッチ手段１６が介設されている。このスイッチ手段１６は、無線通信装置の制御装置によってスイッチング制御が行われるものであり、例えば、Ｗ−ＣＤＭＡでの無線通信が行われているときにＤＣＳの信号を受信する場合に、スイッチ手段１６はスイッチオン状態に制御され、それ以外のときには、スイッチ手段１６はスイッチオフ状態に制御される。
【００４８】
また、この第２実施形態例では、方向性結合器１４の副線路からスイッチ手段１６に至るまでの信号導通路１５の部位に、インピーダンス調整手段であるライン１７が設けられている。このライン１７は、スイッチ手段１６がスイッチオフ状態である場合に、方向性結合器１４の主線路側から副線路を介してスイッチ手段１６側を見たときにスイッチ手段１６側が電気的にオープン状態となるためのインピーダンスを有しているものである。
【００４９】
この第２実施形態例におけるスイッチ手段１６およびライン１７以外の構成は、第１実施形態例と同様である。
【００５０】
以下に、第３実施形態例を説明する。なお、この第３実施形態例の説明において、第１や第２の各実施形態例と同一構成部分には同一符号を付し、その共通部分の重複説明は省略する。
【００５１】
この第３実施形態例では、第１実施形態例の構成に加えて、図３に示されるように、迂回導通路１８と、信号導通経路の切り換え手段１９（１９Ａ，１９Ｂ）とが設けられ、また、信号導通路１５にはスイッチ手段１６が介設されている。迂回導通路１８は、信号処理回路側の信号導通路８Ｃにおける方向性結合器１４の主線路の介設位置よりもアンテナ側の導通路部分と、方向性結合器１４の主線路の介設位置よりも信号処理回路側の導通路部分との間を方向性結合器１４の主線路を迂回して電気的に接続する導通路である。
【００５２】
信号導通経路の切り換え手段１９Ａは、この第３実施形態例では、方向性結合器１４の主線路の介設位置よりもアンテナ側の信号処理回路側の信号導通路８Ｃの部位と、迂回導通路１８との接続部分Ｘaに設けられている。当該切り換え手段１９Ａは、その接続部分Ｘaよりも方向性結合器１４側の信号導通路と、迂回導通路１８との何れか一方を接続部分Ｘaよりもアンテナ側の導通路部分に切り換え接続させるスイッチ手段により構成されている。
【００５３】
信号導通経路の切り換え手段１９Ｂは、この第３実施形態例では、方向性結合器１４の主線路の介設位置よりも信号処理回路側の信号導通路８Ｃの部位と、迂回導通路１８との接続部分Ｘbに設けられている。当該切り換え手段１９Ｂは、接続部分Ｘbよりも方向性結合器１４側の信号導通路と、迂回導通路１８との何れか一方を接続部分Ｘbよりも信号処理回路側の導通路部分に切り換え接続させるスイッチ手段により構成されている。
【００５４】
信号導通経路の切り換え手段１９Ａ，１９Ｂは、無線通信装置の制御装置によってスイッチング制御が行われる。例えば、Ｗ−ＣＤＭＡの無線通信が行われているときに、ＤＣＳの信号を受信する場合には、信号処理回路側の信号導通路８Ｃの導通信号が方向性結合器１４の主線路を通電するように、切り換え手段１９Ａ，１９Ｂのスイッチング動作が制御される。また、信号導通路１５に設けられているスイッチ手段１６は、第２実施形態例に示したスイッチ手段１６と同様のものである。このスイッチ手段１６は、Ｗ−ＣＤＭＡの無線通信が行われているときにＤＣＳの信号を受信する場合には無線通信装置の制御装置によって導通オン状態に制御される。このスイッチ手段１６と、信号導通経路の切り換え手段１９Ａ，１９Ｂとのスイッチング動作によって、アンテナ２の受信信号が方向性結合器１４の主線路に流れ、Ｗ−ＣＤＭＡ用の信号処理回路３Ｂに供給されると共に、方向性結合器１４の主線路から副線路と信号導通路１５を介して信号処理回路側の信号導通路８Ｄに受信信号が伝達されＤＣＳ用の信号処理回路３Ｃにもアンテナ２の受信信号が供給される。
【００５５】
上記以外の場合には、信号処理回路側の信号導通路８Ｃの導通信号が方向性結合器１４を避け迂回導通路１８を通ってＷ−ＣＤＭＡ用の信号処理回路３Ｂに向かう経路でもって流れるように、切り換え手段１９Ａ，１９Ｂのスイッチング動作が制御される。
【００５６】
この第３実施形態例では、迂回導通路１８と、切り換え手段１９Ａ，１９Ｂとを設け、切り換え手段１９Ａ，１９Ｂの切り換え動作によって、信号処理回路側の信号導通路８Ｃから方向性結合器１４と信号導通路１５のスイッチ手段１６を介して信号導通路８Ｄに信号を伝達するときのみ、方向性結合器１４に信号が通電するように構成し、それ以外の場合には方向性結合器１４を避けて迂回導通路１８に信号を導通させる構成とした。しかし、信号処理回路側の信号導通路８Ｃの導通信号は高周波信号であることから、信号が方向性結合器１４を通らずに迂回導通路１８を通るように切り換え手段１９Ａ，１９Ｂによって信号導通路の経路を制御しても、信号が僅かに切り換え手段１９Ａ，１９Ｂを介して方向性結合器１４の主線路に通電してしまうことがある。このため、その方向性結合器１４に流れてしまった信号が方向性結合器１４から信号導通路１５を介して信号導通路８Ｄに流れて損失を増加させることが懸念される。そこで、この第３実施形態例では、信号導通路１５に第２実施形態例に示したようなスイッチ手段１６を設けて、信号導通路８Ｄに信号を通電する必要がない場合には、スイッチ手段１６をスイッチオフ状態に制御する構成とした。これにより、信号導通路８Ｃから信号導通路８Ｄに信号を伝達する必要がない場合には、スイッチ手段１６のスイッチオフ動作によって、信号導通路８Ｃから信号導通路８Ｄ側への信号漏洩に因る損失の増加を抑制している。
【００５７】
なお、方向性結合器１４の結合度が低くて、上記のような損失増加の心配が非常に小さい場合には、スイッチ手段１６は省略してもよい。
【００５８】
以下に、第４実施形態例を説明する。なお、この第４実施形態例の説明において、第１〜第３の各実施形態例と同一構成部分には同一符号を付し、その共通部分の重複説明は省略する。
【００５９】
この第４実施形態例では、Ｗ−ＣＤＭＡの通信信号が通電する信号処理回路側の信号導通路８Ｃには、図４に示されるように、複数の互いに結合度が異なる方向性結合器１４（１４1〜１４n（ｎは２以上の整数））の主線路が直列的に介設されている。各方向性結合器１４1〜１４nの副線路は、それぞれ、別々の信号導通路１５1〜１５nを介して、共通の信号処理回路側の信号導通路８Ｄに接続されている。また、各信号導通路１５1〜１５nには、それぞれ、信号導通のオン・オフを制御するためのスイッチ手段１６1〜１６nが介設されている。それら各スイッチ手段１６1〜１６nのスイッチング動作は、無線通信装置の制御装置によって制御される。
【００６０】
例えば、Ｗ−ＣＤＭＡ用の信号処理回路３Ｂに供給するのに適した受信信号のパワー値の情報が制御装置に予め与えられている。また、無線通信装置には、Ｗ−ＣＤＭＡの無線通信を行っているときに、アンテナ２から信号処理回路側の信号導通路８Ｃに流れ込んでいる受信信号のパワーの大きさを検出する手段を設けておく。そして、Ｗ−ＣＤＭＡの無線通信を行っているときに、信号処理回路側の信号導通路８Ｃから信号導通路８Ｄに信号を伝達する場合には、制御装置は、信号導通路８Ｃの受信信号のパワーの大きさを検出し、この検出結果と、Ｗ−ＣＤＭＡ用の信号処理回路３Ｂに適切な受信信号の設定のパワー値の情報とを利用して、Ｗ−ＣＤＭＡ用の信号処理回路３Ｂに適切なパワーの受信信号を供給しながら信号導通路８Ｃから信号導通路８Ｄに受信信号を伝達するための結合度を持つ方向性結合器１４を選択する。また、制御装置は、その選択した方向性結合器１４の副線路に接続されている信号導通路１５のスイッチ手段１６をスイッチオン状態に制御し、他のスイッチ手段１６はスイッチオフ状態に制御する。
【００６１】
以下に、第５実施形態例を説明する。なお、この第５実施形態例の説明では、第１〜第４の各実施形態例と同一構成部分には同一符号を付し、その共通部分の重複説明は省略する。
【００６２】
この第５実施形態例は無線通信装置に関するものである。この第５実施形態例の無線通信装置は、ＰＣＳとＷ−ＣＤＭＡとＤＣＳとＥＧＳＭとの４つの無線通信システムに対応することができるものである。当該無線通信装置には、それら４つの無線通信システムに共通のアンテナ２を有すると共に、各無線通信システム毎にそれぞれ信号処理回路３（３Ａ〜３Ｄ）が設けられている。アンテナ２と、各信号処理回路３（３Ａ〜３Ｄ）との間の通信信号の導通経路上には、第１〜第４の実施形態例に示した通信信号経路制御回路１のうちの何れか１つの通信信号経路制御回路１が設けられている。無線通信装置の通信信号経路制御回路１以外の構成には様々な構成があり、この第５実施形態例では、無線通信装置の通信信号経路制御回路１以外の構成は何れの構成を採用してもよく、ここでは、その説明は省略する。また、第１〜第４の実施形態例に示した通信信号経路制御回路１の構成も前述したので、ここでは、その重複説明は省略する。
【００６３】
なお、この発明は第１〜第５の各実施形態例の形態に限定されるものではなく、様々な実施の形態を採り得る。例えば、第１〜第５の各実施形態例では、ＰＣＳとＷ−ＣＤＭＡとＤＣＳとＥＧＳＭとの４つの無線通信システムに対応するものであったが、通信信号経路制御回路１又は当該回路１を備えた無線通信装置が対応する無線通信システムの数は複数であれば、その数は限定されるものではないし、また、対応する無線通信システムの種類も限定されるものではない。
【００６４】
また、第１〜第５の各実施形態例では、Ｗ−ＣＤＭＡ用の信号処理回路３Ｂに接続される信号導通路８Ｃに介設した方向性結合器１４の副線路は、信号導通路８Ｄに接続されていたが、例えば、信号導通路８Ｃに別の方向性結合器１４の主線路をも介設し、当該方向性結合器１４の副線路は、信号導通路８Ｄとは異なる例えば信号導通路８Ｂに接続される構成としてもよい。この場合には、信号導通路８Ｃがスイッチ手段６によってアンテナ側の信号導通路１１に切り換え接続されている状態で、アンテナ２の受信信号は、信号導通路８Ｃを通ってＷ−ＣＤＭＡ用の信号処理回路３Ｂに導かれると共に、各方向性結合器１４によって、ＰＣＳ用の信号処理回路３Ａと、ＤＣＳ用の信号処理回路３Ｃとのそれぞれにも受信信号が導かれる。
【００６５】
さらに、第１〜第５の各実施形態例では、常時接続状態を維持する必要があるＷ−ＣＤＭＡ用の信号処理回路３Ｂに接続される信号導通路８Ｃに方向性結合器１４の主線路が介設される構成であったが、他の信号導通路にも方向性結合器１４の主線路を介設してもよい。
【００６６】
さらに、図４に示される第４実施形態例の構成に加えて、各方向性結合器１４の副線路に接続される各信号導通路１５のうちの少なくとも一つ（例えば結合度の最も大きい方向性結合器１４の副線路に接続される信号導通路１５）には、第２実施形態例に示したようなインピーダンス調整手段である例えばライン１７を介設してもよい。さらに、第４実施形態例の構成に加えて、例えば、信号処理回路側の信号導通路８において、全ての方向性結合器１４の主線路が直列に介設されている方向性結合器介設部分よりもアンテナ側の信号導通路部分と、全ての方向性結合器１４の介設部分よりも信号処理回路側の信号導通路部分との間を全ての方向性結合器１４を迂回して接続する迂回導通路を設ける。また、方向性結合器１４の主線路が介設されている信号処理回路側の信号導通路８に導通している信号を、方向性結合器１４の主線路を介して通電する経路と、迂回導通路に流れて全ての方向性結合器１４の主線路を避けて通電する経路とのうちの何れか一方の経路に切り換えて導通させるための信号導通経路の切り換え手段を設けてもよい。
【図面の簡単な説明】
【００６７】
【図１】第１実施形態例の通信信号経路制御回路を説明するための簡略的な回路図である。
【図２】第２実施形態例の通信信号経路制御回路を説明するための簡略的な回路図である。
【図３】第３実施形態例の通信信号経路制御回路を説明するための簡略的な回路図である。
【図４】第４実施形態例の通信信号経路制御回路を説明するための簡略的な回路図である。
【図５】通信信号経路制御回路の一従来例を説明するための簡略的な回路図である。
【符号の説明】
【００６８】
１  通信信号経路制御回路
２  アンテナ
３，３Ａ〜３Ｄ  信号処理回路
６，７  スイッチ手段
８  信号処理回路側の信号導通路
１１  アンテナ側の信号導通路
１４  方向性結合器
１５  信号導通路
１６  スイッチ手段
１７  ライン
１８  迂回導通路
【図１】
2007049625.tif 000003
【図２】
2007049625.tif 000004
【図３】
2007049625.tif 000005
【図４】
2007049625.tif 000006
【図５】
2007049625.tif 000007